(57)【要約】【課題】テンプレートが示すエリアに対して、付加情報を的確に付加できるようにする。【解決手段】プリンター１０のウェブアプリケーション実行部１５ａは、第１テンプレートに基づいて、印刷領域に形成されたエリアに付加情報を付加可能な態様で、印刷レイアウトを制御装置１１に表示させると共に、１のエリアに、１の付加情報の付加が指定された場合、当該１のエリアについて当該１の付加情報を反映した態様に変更して、印刷レイアウトを表示させる。【選択図】図２
2014168849.tif 000002
【特許請求の範囲】
【請求項１】
印刷機能を有する印刷装置であって、
第１テンプレートに基づいて、印刷領域に形成されたエリアに付加情報を付加可能な態様で、印刷レイアウトを表示させると共に、
１の前記エリアに、１の前記付加情報の付加が指定された場合、当該１の前記エリアについて当該１の前記付加情報を反映した態様に変更して、印刷レイアウトを表示させる制御部を備えることを特徴とする印刷装置。
【請求項２】
前記第１テンプレートには、各前記エリアについて、印刷領域における基点の位置を示す情報が含まれており、
前記制御部は、
前記第１テンプレートに含まれる情報に基づいて、印刷領域における各前記エリアの領域を推定し、各前記エリアについて、その領域を指定可能かつ前記付加情報を付加可能な態様で、印刷レイアウトを表示させることを特徴とする請求項１に記載の印刷装置。
【請求項３】
前記制御部は、
前記エリアへの前記付加情報の付加に伴う変更後の印刷レイアウトに対応するテンプレートを、第２テンプレートとして記憶することを特徴とする請求項１又は２に記載の印刷装置。
【請求項４】
制御装置と通信可能に接続され、
前記制御部は、
前記制御装置と通信して、前記制御装置の表示部に前記第１テンプレートに基づく印刷レイアウトを表示させることを特徴とする請求項１ないし３のいずれかに記載の印刷装置。
【請求項５】
クライアントからの要求に応じて印刷レイアウトに係る表示データを出力するウェブサーバーとしての機能を有し、
前記制御部は、
前記制御装置からウェブブラウザーの機能によるアクセスがあった場合、印刷レイアウトに係る表示データを出力して、前記制御装置の表示部に印刷レイアウトを表示させることを特徴とする請求項４に記載の印刷装置。
【請求項６】
前記付加情報は、
前記エリアの色に関する情報、又は、前記エリアに印刷される画像の色に関する情報であることを特徴とする請求項１ないし５のいずれかに記載の印刷装置。
【請求項７】
印刷機能を有する印刷装置の制御方法であって、
第１テンプレートに基づいて、印刷領域に形成されたエリアに付加情報を付加可能な態様で、印刷レイアウトを表示させ、
１の前記エリアに、１の前記付加情報の付加が指定された場合、当該１の前記エリアについて当該１の前記付加情報を反映した態様に変更して、印刷レイアウトを表示させることを特徴とする印刷装置の制御方法。
【請求項８】
印刷機能を有する印刷装置に接続可能な制御装置であって、
第１テンプレートに基づいて、印刷領域に形成されたエリアに付加情報を付加可能な態様で、印刷レイアウトを表示し、
１の前記エリアに、１の前記付加情報の付加が指定された場合、当該１の前記エリアについて当該１の前記付加情報を反映した態様に変更して、印刷レイアウトを表示する制御部を備えることを特徴とする制御装置。
【発明の詳細な説明】
【技術分野】
【０００１】
本発明は、印刷機能を有する印刷装置、当該印刷装置の制御方法、及び、当該印刷装置に接続可能な制御装置に関する。
【背景技術】
【０００２】
従来、予め作成されたテンプレートを利用して印刷装置により印刷を行なうシステムが知られている（例えば、特許文献１参照）。一般に、テンプレートでは、印刷領域が１又は複数のエリアに区分けされている。
【先行技術文献】
【特許文献】
【０００３】
【特許文献１】特開２０１２−０４８４１５号公報
【発明の概要】
【発明が解決しようとする課題】
【０００４】
ここで、テンプレートが示す各エリアに、付加情報を付加することを想定する。これにより、例えば、特定のエリアについて、付加された付加情報に準じて、特定の色を背景色としたり、画像を特定の色としたり等、その態様を動的に変更可能となる。この場合、ユーザーが、所望のエリアに、所望の付加情報を、的確に、付加できるようにすることが求められる。
本発明は、上述した事情に鑑みてなされたものであり、テンプレートが示すエリアに対して、付加情報を的確に付加できるようにすることを目的とする。
【課題を解決するための手段】
【０００５】
上記目的を達成するために、本発明は、印刷機能を有する印刷装置であって、第１テンプレートに基づいて、印刷領域に形成されたエリアに付加情報を付加可能な態様で、印刷レイアウトを表示させると共に、１の前記エリアに、１の前記付加情報の付加が指定された場合、当該１の前記エリアについて当該１の前記付加情報を反映した態様に変更して、印刷レイアウトを表示させる制御部を備えることを特徴とする。
この構成によれば、ある１のエリアに対して、ある１の付加情報を付加した場合、当該１のエリアが当該１の付加情報を反映した態様に変更された上で、印刷レイアウトが表示される。このため、付加情報を付加した場合の効果を確認しつつ、付加情報の付加を指定できることとなり、的確な付加情報の付加が可能となる。
【０００６】
また、本発明は、前記第１テンプレートには、各前記エリアについて、印刷領域における基点の位置を示す情報が含まれており、前記制御部は、前記第１テンプレートに含まれる情報に基づいて、印刷領域における各前記エリアの領域を推定し、各前記エリアについて、その領域を指定可能かつ前記付加情報を付加可能な態様で、印刷レイアウトを表示させることを特徴とする。
この構成によれば、第１テンプレートが、印刷領域におけるエリアの領域を明確に示す情報を保持しておらず、各エリアの基点の位置を示す情報を保持している場合であっても、各エリアに的確に付加情報を付加できる態様で、第１テンプレートに基づく印刷レイアウトを表示可能である。
【０００７】
また、本発明は、前記制御部は、前記エリアへの前記付加情報の付加に伴う変更後の印刷レイアウトに対応するテンプレートを、第２テンプレートとして記憶することを特徴とする。
この構成によれば、記憶した第２テンプレートに基づいて、エリアに付加された付加情報を反映した印刷の実行が可能となる。
【０００８】
また、本発明は、制御装置と通信可能に接続され、前記制御部は、前記制御装置と通信して、前記制御装置の表示部に前記第１テンプレートに基づく印刷レイアウトを表示させることを特徴とする。
この構成によれば、制御装置に印刷レイアウトが表示され、制御装置を介したエリアへの付加情報の付加が可能となる。
【０００９】
また、本発明は、クライアントからの要求に応じて印刷レイアウトに係る表示データを出力するウェブサーバーとしての機能を有し、前記制御部は、前記制御装置からウェブブラウザーの機能によるアクセスがあった場合、印刷レイアウトに係る表示データを出力して、前記制御装置の表示部に印刷レイアウトを表示させることを特徴とする。
この構成によれば、制御装置により、ネットワークを介して、エリアに付加情報を付加することが可能となる。特に、制御装置は、ウェブブラウザーの機能を有していればよく、制御装置に特別なソフトウェア等をインストールが必要が無く、利便性が高い。
【００１０】
また、本発明は、前記付加情報は、前記エリアの色に関する情報、又は、前記エリアに印刷される画像の色に関する情報であることを特徴とする。
この構成によれば、エリアごとに、エリアや、エリアに印刷される画像に彩色を施すことが可能となり、第１テンプレートの編集を通して、ダイナミックな印字結果を得ることが可能となる。
【００１１】
また、上記目的を達成するために、本発明は、印刷機能を有する印刷装置の制御方法であって、第１テンプレートに基づいて、印刷領域に形成されたエリアに付加情報を付加可能な態様で、印刷レイアウトを表示させ、１の前記エリアに、１の前記付加情報の付加が指定された場合、当該１の前記エリアについて当該１の前記付加情報を反映した態様に変更して、印刷レイアウトを表示させることを特徴とする。
この制御方法によれば、ある１のエリアに対して、ある１の付加情報を付加した場合、当該１のエリアが当該１の付加情報を反映した態様に変更された上で、印刷レイアウトが表示される。このため、付加情報を付加した場合の効果を確認しつつ、付加情報の付加を指定できることとなり、的確な付加情報の付加が可能となる。
【００１２】
また、上記目的を達成するために、本発明は、印刷機能を有する印刷装置に接続可能な制御装置であって、第１テンプレートに基づいて、印刷領域に形成されたエリアに付加情報を付加可能な態様で、印刷レイアウトを表示し、１の前記エリアに、１の前記付加情報の付加が指定された場合、当該１の前記エリアについて当該１の前記付加情報を反映した態様に変更して、印刷レイアウトを表示する制御部を備えることを特徴とする。
この構成によれば、ある１のエリアに対して、ある１の付加情報を付加した場合、当該１のエリアが当該１の付加情報を反映した態様に変更された上で、印刷レイアウトが表示される。このため、付加情報を付加した場合の効果を確認しつつ、付加情報の付加を指定できることとなり、的確な付加情報の付加が可能となる。
【発明の効果】
【００１３】
本発明によれば、テンプレートが示すエリアに対して、付加情報を的確に付加できるようにする。
【図面の簡単な説明】
【００１４】
【図１】本実施形態に係る制御システムを示す図である。
【図２】制御装置及びプリンターの機能的構成を示す図である。
【図３】制御装置に表示されるユーザーインターフェースを示す図である。
【図４】第１テンプレート、及び、第１テンプレートに基づくエリアを示す図。
【図５】制御装置に表示されるユーザーインターフェースを示す図である。
【図６】制御装置に表示されるユーザーインターフェースを示す図である。
【図７】制御装置に表示されるユーザーインターフェースを示す図である。
【図８】制御装置に表示されるユーザーインターフェースを示す図である。
【図９】第２テンプレートを示す図である。
【発明を実施するための形態】
【００１５】
以下、図面を参照して本発明の実施形態について説明する。
図１は、本実施形態に係る制御システム１を示す図である。
図１に示すように、制御システム１は、複数のプリンター１０（印刷装置）を備えており、これら複数のプリンター１０のうち任意のプリンター１０に、ＬＡＮやインターネット等のネットワークＮを介して、制御装置１１が接続可能な構成となっている。
プリンター１０は、記録媒体にカラー印刷する機能を有する装置である。特に、本実施形態に係るプリンター１０は、長尺の剥離シート上に所定サイズにカットされた粘着材付きのラベルが並べられたラベル用紙がセット可能に構成され、剥離シート上の各ラベルにテンプレートに準じて画像の印刷を行うことが可能である。
制御装置１１は、ウェブブラウザーがインストールされている装置であれば何でもよい。例えば、デスクトップ型や、ノート型、タブレット型のＰＣや、携帯電話等を制御装置１１として機能させることが可能である。
【００１６】
図２は、プリンター１０、及び、制御装置１１の機能的構成を示すブロック図である。
図２に示すように、プリンター１０は、プリンター制御部１５と、プリンター記憶部１６と、印刷部１７と、インターフェース部１８と、を備えている。
プリンター制御部１５は、ＣＰＵや、ＲＯＭ、ＲＡＭ、その他の回路等を備え、プリンター１０の各部を中枢的に制御する。プリンター制御部１５は、機能ブロックとして、ウェブアプリケーション実行部１５ａを備えているがこれについては後述する。プリンター記憶部１６は、ＥＥＰＲＯＭ等の不揮発性メモリーを備え、各種データを書き換え可能に不揮発的に記憶する。プリンター記憶部１６に記憶されたデータについては後述する。印刷部１７は、セットされた記録媒体（上述したラベル用紙を含む）を搬送する機構や、印字ヘッド等を備え、記録媒体に画像を印刷する。インターフェース部１８は、プリンター制御部１５の制御の下、所定の通信規格に準拠して外部の機器と通信する。
【００１７】
制御装置１１は、制御装置制御部２３と、表示部２４と、入力部２５と、インターフェース部２６と、を備えている。
制御装置制御部２３は、ＣＰＵや、ＲＯＭ、ＲＡＭ、その他の周辺回路等を備え、制御装置１１の各部を中枢的に制御する。制御装置制御部２３は、ブラウザー実行部２３ａを備えているが、これについては後述する。表示部２４は、液晶表示パネル等の表示パネル２４ａを備え、制御装置制御部２３の制御の下、各種画像を表示パネル２４ａに表示する。入力部２５は、マウスや、キーボード、タッチパネル、操作キー、その他の入力装置に接続されており、入力装置に対する入力を検出して制御装置制御部２３に出力する。
【００１８】
さて、制御装置１１には、所定のウェブブラウザーがインストールされている。制御装置１１の制御装置制御部２３のブラウザー実行部２３ａは、このウェブブラウザーの機能により実現される機能ブロックである。すなわち、ブラウザー実行部２３ａの機能は、ＣＰＵがウェブブラウザー、その他の関連するプログラムを読み出して実行する等、ハードウェアとソフトウェアとの協働により実現される。
また、プリンター１０には、ウェブアプリケーションがインストールされている。プリンター１０のプリンター制御部１５のウェブアプリケーション実行部１５ａは、このウェブアプリケーションの機能により実現される機能ブロックである。すなわち、ウェブアプリケーション実行部１５ａの機能は、ＣＰＵがウェブアプリケーション、その他の関連するプログラムを読み出して実行する等、ハードウェアとソフトウェアとの協働により実現される。
上述したように、プリンター１０は、ラベルにテンプレートに準じて画像の印刷を行う機能を有している。そして、本実施形態では、ブラウザー実行部２３ａと、ウェブアプリケーション実行部１５ａとが協働して、テンプレートの編集、特に、後述するようにエリアへの付加情報の付加を的確に行える構成となっている。以下、詳述する。
【００１９】
ある１つのプリンター１０について、テンプレートの編集を行なう場合、ユーザーは、制御装置１１のウェブブラウザーを立ち上げ、当該１のプリンター１０上の予め定められた所定のアドレスへのアクセスを指示する。当該指示に応じて、制御装置１１のブラウザー実行部２３ａは、上記所定のアドレスにアクセスする。
当該アクセスに応じて、プリンター１０のウェブアプリケーション実行部１５ａは、プリンター記憶部１６に記憶されたテンプレート基本情報データ１６ｃを参照して必要な情報を取得した上で、ユーザーインターフェースＵＩ１（図３）を表示させるための表示ファイルを生成し、ブラウザー実行部２３ａに出力する。
なお、プリンター１０には、所定のウェブサーバーソフトウェア（例えば、Apache HTTP Server）がインストールされており、クライアントとしての制御装置１１からの要求に応じて、ＨＴＴＰ等の所定のプロトコルに準拠した表示ファイルを生成し、出力するウェブサーバーとしての機能を有している。
また、以下説明するユーザーインターフェースＵＩ１〜ＵＩ５は、制御装置１１の表示部２４の表示パネル２４ａに表示される。
【００２０】
図３は、ユーザーインターフェースＵＩ１を示す図である。
図３に示すように、ユーザーインターフェースＵＩ１では、各テンプレートが記憶されている記憶領域を示す記憶領域情報Ｊ１と、テンプレートの名称を示すテンプレート名称Ｊ２と、各テンプレートに対してユーザーにより付与されたコメントＪ３と、テンプレートの最終編集日時Ｊ４と、が対応付けて表示されている。説明は省略するが、コメントＪ３を入力するためのユーザーインターフェースが別途用意されている。
後に説明するように、最終編集日時Ｊ４がブランクのテンプレートは、第１テンプレートデータベース１６ａに格納された第１テンプレートに該当し、最終編集日時Ｊ４がブランクではないテンプレート（第１テンプレートに基づく編集によって生成されたテンプレート）は、第２テンプレートデータベース１６ｂに格納された第２テンプレートに該当する。
ユーザーインターフェースＵＩ１では、テンプレートごとに、編集を開始する場合に選択される編集開始指示ボタンＢ１と、削除する場合に選択される削除指示ボタンＢ２とが表示されている。各ボタンは、マウスによって動くマウスポインターを重ねて、マウスをクリックすることで選択可能となっている。第１テンプレート、すなわち、ユーザーインターフェースＵＩ１において最終編集日時Ｊ４がブランクのテンプレートは、削除することができないため（理由は後述）、第１テンプレートに係る削除指示ボタンＢ２と、第２テンプレートに係る削除指示ボタンＢ２とは、その態様が異なっている。
なお、テンプレート基本情報データ１６ｃには、ユーザーインターフェースＵＩ１に表示すべき情報が不足なく含まれている。
【００２１】
さて、ユーザーインターフェースＵＩ１において、ユーザーによって、いずれかのテンプレートの編集開始指示ボタンＢ１が選択されると、ブラウザー実行部２３ａは、例えば、表示ファイルに実装されたスクリプトの機能により、その旨を示すデータを、ウェブアプリケーション実行部１５ａに出力する。本例では、第１テンプレート（後述）の編集開始指示ボタンＢ１が選択されたものとする。
ブラウザー実行部２３ａからデータが入力されると、ウェブアプリケーション実行部１５ａは、第１テンプレートデータベース１６ａにアクセスして、選択テンプレートのテンプレートを参照し、ユーザーインターフェースＵＩ２（図５）を表示させるための表示ファイルを生成し、ブラウザー実行部２３ａに出力する。なお、本例では、ユーザーが選択したテンプレートは第１テンプレートであるため、ウェブアプリケーション実行部１５ａは、第１テンプレートデータベース１６ａにアクセスするが、ユーザーが選択したテンプレートが第２テンプレートの場合は、ウェブアプリケーション実行部１５ａは、第２テンプレートデータベース１６ｂにアクセスする。
以下、まず、第１テンプレートについて説明し、その後、ユーザーインターフェースＵＩ２（図５）について説明する。
【００２２】
ここで、本実施形態に係るプリンター１０は、異なるプリンター（以下、「交換前プリンター」という。）に代えて使用されることが想定された装置である。
この交換前プリンターは、カラー印刷が実行できない一方、テンプレートに準じたモノクロ印刷を実行可能である。そして、第１テンプレートとは、交換前プリンターが保持していたテンプレートのことであり、また、第１テンプレートデータベース１６ａとは、第１テンプレートを集合的に記憶するデータベースである。
図４（Ａ）は、第１テンプレートに係るテンプレートＴ１（テンプレート名称：templateＴ１）の内容を示す図であり、図４（Ｂ）は、図４（Ａ）のテンプレートＴ１が示す情報によって想定されるエリアを印刷領域との関係で示す図である。
テンプレートとは、記録媒体（ラベル）の印刷領域に画像を記録するときの規則を示す情報のことであり、特に、本実施形態では、印刷領域に形成されるエリアを定義する情報を含んで構成されている。印刷領域とは、１つの記録媒体（ラベル）において画像の記録（ドットの形成）が可能な最大の領域のことである。印刷領域は、記録媒体のサイズと、予め設定された上下左右のマージンによって規定される。また、エリアとは、印刷領域を所定の態様で区分けして形成される領域のことである。
図４（Ａ）に示すように、第１テンプレートであるテンプレートＴ１は、各エリアについて、テンプレート名称Ｊ２と、エリア名称Ｊ５と、基点位置情報Ｊ６と、画像種類Ｊ７と、画像詳細情報Ｊ８と、デフォルト情報Ｊ９と、を対応付けて保持している。
【００２３】
エリア名称Ｊ５とは、エリアごとに一意に付与された識別情報である。
基点位置情報Ｊ６とは、印刷領域の特定の位置を原点とする座標系における、エリアの基準点の座標のことである。当該座標系における座標により、印刷領域における任意の位置を指定することが可能である。ここで、本実施形態では、エリアの形状は、図４（Ｂ）で点線で示すように、矩形であることが前提となっている。そして、エリアの基準点とは、エリアの枠に形成された４つの頂点のうち、特定の方向に位置する頂点のことを指す。本例では、図４に点線で示すエリアＡ１の頂点Ｐ１ａや、エリアＡ２の頂点Ｐ２ａ、エリアＡ３の頂点Ｐ３ａ、エリアＡ４の頂点Ｐ４ａのように、４つの頂点のうち、図４における左下の頂点が、基準点である。
画像種類Ｊ７とは、各エリアに印刷される画像の種類を示す情報のことである。本実施形態では、画像の種類として「テキスト画像」と、「グラフィック画像」との２つが存在する。テキスト画像とは、文字からなる画像であり、より具体的には、プリンター１０が内蔵するフォントデータに基づいて記録される画像である。一方、グラフィック画像とは、フォントデータに基づいて記録される画像ではない画像であり、ビットマップデータ等、画像を構成するドットの色成分を示すデータに基づいて記録される画像である。
画像詳細情報Ｊ８とは、画像の種類が「テキスト画像」である場合に、その画像の内容をより詳細に示す情報である。本実施形態では、画像詳細情報Ｊ８には、フォント種類、文字サイズ、文字間、改行幅のそれぞれを示す情報が含まれている。
デフォルト情報Ｊ９とは、エリア内に予め印刷される画像（以下、「デフォルト画像」という。）に関する情報のことである。デフォルト情報Ｊ９は、デフォルト画像基準位置情報Ｊ９ａと、デフォルト画像情報Ｊ９ｂと、を有している。デフォルト画像基準位置情報Ｊ９ａとは、上述した座標系におけるデフォルト画像の基準点の座標である。デフォルト画像情報Ｊ９ｂとは、ラベルに予め記録すべきデフォルト画像を示す情報のことである。例えば、図４（Ｂ）のエリアＡ２の所定の位置には、デフォルト画像として「ＦＮ０１△Ｔｅｘｔ」（△は、ブランクを表わす。以下同様。）という文字列に係るテキスト画像が印刷されるが、この場合、図４（Ａ）のエリアＡ２に係るデフォルト情報Ｊ９に示すように、デフォルト画像基準位置情報Ｊ９ａには、当該文字列に係る画像の基準位置を示す情報が格納され、また、デフォルト画像情報Ｊ９ｂには、当該文字列を示す情報が格納される。なお、デフォルト画像は、グラフィック画像であってもよい。
【００２４】
なお、第１テンプレートのそれぞれは、事前に、所定の方法によって、交換前プリンターから取得されて、プリンター１０の第１テンプレートデータベース１６ａに格納される。例えば、専用のツールがインストールされた端末を交換前プリンターに接続し、又は、専用のサーバーをネットワークを介して交換前プリンターに接続し、所定の機能により、端末又はサーバーに、第１テンプレートを吸い上げる。その後、端末又はサーバーと、プリンター１０とを接続し、所定の機能により、第１テンプレートデータベース１６ａに第１テンプレートのそれぞれを格納する。また例えば、プリンター１０に専用の機能を実装し、プリンター１０と交換前プリンターとを接続して、交換前プリンターから直接第１テンプレートを取得して、第１テンプレートデータベース１６ａに格納する。
そして、第１テンプレートデータベース１６ａに格納された第１テンプレートについては、改変（編集）ができない構成となっている。これにより、後述する第２テンプレートの生成に際し、交換前プリンターが使用していたオリジナルのテンプレート（第１テンプレート）に基づく編集によって生成されることが担保されている。
【００２５】
以上のように、第１テンプレートでは、各エリアについて、例えば、四隅の座標を特定することによってエリアの領域を明確にしたり、また例えば、基準位置と、その領域のサイズとの組合せを特定することによってエリアの領域を明確にしたりしていない。これは、交換前プリンターの仕様によるものである。
そして、後に説明するユーザーインターフェースＵＩ２（図５（Ａ））では、各エリアの領域をユーザーが認識できるような態様で、印刷レイアウトが表示される。これを踏まえ、ウェブアプリケーション実行部１５ａは、第１テンプレートにおける基点位置情報Ｊ６、画像種類Ｊ７、画像詳細情報Ｊ８、及び、デフォルト情報Ｊ９に基づいて、各エリアの領域を推定した上で、ユーザーインターフェースＵＩ２を表示させるための表示ファイルを生成する。
以下、第１テンプレートに基づくエリアの領域の推定に係る処理について、図４の例を用いて詳述する。
【００２６】
エリアＡ１の領域の推定は、以下のようにして行なわれる。
すなわち、エリアＡ１は矩形であり、印刷領域における左下の頂点Ｐ１ａの位置は特定されている。従って、エリアＡ１の左辺Ｈ１ｌ、及び、下辺Ｈ１ｄの長さが定まれば、エリアＡ１の領域は定まる。
これを踏まえ、ウェブアプリケーション実行部１５ａは、エリアＡ１以外のエリアの基点と、エリアＡ１の基点との関係から、エリアＡ１の上方には、他のエリアが存在しないことを判別する。そして、ウェブアプリケーション実行部１５ａは、印刷領域の上辺Ｑｕとの関係で、当該上辺Ｑｕと、エリアＡ１の上辺Ｈ１ｕとが所定の離間距離だけ離間するように、左辺Ｈ１ｌの長さを定める。上辺Ｑｕと、上辺Ｈ１ｕとの離間距離は、予め設定により定められたものでもよいし、また、エリアに印刷される画像の種類によって動的に変更してもよい。さらに、ウェブアプリケーション実行部１５ａは、エリアＡ１の基点と、エリアＡ２の基点との関係から、エリアＡ１の右方に、エリアＡ２が位置していることを判別する。そして、エリアＡ２の基点に基づいて把握されるエリアＡ２の左辺Ｈ２ｌから、エリアＡ１の右辺Ｈ１ｒが所定の離間距離だけ離間するように、下辺Ｈ１ｄの長さを定める。
以上のようにして、ウェブアプリケーション実行部１５ａは、エリアＡ１の左辺Ｈ１ｌ、及び、下辺Ｈ１ｄの長さを定め、これにより、エリアＡ１の領域を推定する。
なお、エリアＡ１にデフォルト画像としてグラフィック画像が印刷されることが設定されている場合は、ウェブアプリケーション実行部１５ａは、印刷領域において当該デフォルト画像が印刷される領域を特定した上で、少なくとも、当該デフォルト画像がエリアＡ１の領域に内包されるように、左辺Ｈ１ｌ、及び、下辺Ｈ１ｄの長さを定める。
【００２７】
また、エリアＡ２の領域の推定は、以下のようにして行なわれる。
すなわち、エリアＡ１と同様、エリアＡ２の左辺Ｈ２ｌ、及び、下辺Ｈ２ｄの長さが定まれば、エリアＡ２の領域は定まる。
ウェブアプリケーション実行部１５ａは、エリアＡ２以外のエリアの基点と、エリアＡ２の基点との関係から、エリアＡ２の上方、及び、エリアＡ２の右方には、他のエリアが存在しないことを判別する。そして、ウェブアプリケーション実行部１５ａは、印刷領域の上辺Ｑｕとの関係で左辺Ｈ２ｌの長さを定め、また、印刷領域の右辺Ｑｒとの関係で下辺Ｈ２ｄの長さを定め、これにより、エリアＡ２の領域を推定する。
なお、エリアＡ２には、デフォルト画像としてテキスト画像が印刷される。これを踏まえ、ウェブアプリケーション実行部１５ａは、対応する画像詳細情報Ｊ８、及び、デフォルト情報Ｊ９に基づいて、印刷領域において当該デフォルト画像が印刷される領域を特定し、当該デフォルト画像がエリアＡ２の領域に内包されるように、左辺Ｈ２ｌ、及び、下辺Ｈ２ｄの長さを定める。
ウェブアプリケーション実行部１５ａは、エリアＡ３、及び、エリアＡ４についても、同様の方法により、その領域を推定する。
【００２８】
ウェブアプリケーション実行部１５ａは、以上のようにして各エリアの領域を推定した後、ユーザーインターフェースＵＩ２を表示させるための表示ファイルを生成し、ブラウザー実行部２３ａに出力する。
図５（Ａ）は、ユーザーインターフェースＵＩ２を示す図である。
ユーザーインターフェースＵＩ２では、略左半分の領域に、印刷レイアウトＬＯが表示される。図５（Ａ）に示す印刷レイアウトＬＯは、図４（Ａ）のテンプレートＴ１（第１テンプレート）に基づく印刷レイアウトＬＯである。印刷レイアウトＬＯは、「第１テンプレートに基づく印刷レイアウト」に該当する。
印刷レイアウトＬＯでは、領域を推定したエリアごとに、所定の画像が表示され、各エリアの領域が明示される。
詳述すると、図５（Ａ）に示すように、エリアＡ１は、グラフィック画像が印刷されるエリアであるが、エリアＡ１に対応する領域に、四角形の枠からなる画像Ｇ１が表示される。画像Ｇ１に係る四角形の枠は、エリアＡ１の領域に沿った形状とされる。印刷レイアウトＬＯにおいて、四角形の枠からなる画像は、グラフィック画像を表わしていることが、マニュアル等を通してユーザーに事前に告知されており、ユーザーは、画像Ｇ１を視認することにより、画像Ｇ１に対応するエリア（エリアＡ１）の領域と、当該エリアにはグラフィック画像が印刷されることを迅速に把握できる。画像Ｇ１にマウスポインターを合わせると、画像Ｇ１に対応するエリアＡ１の領域（推定した領域）が点線にて表示され（図７も併せて参照）、その状態でマウスをクリックすると、エリアＡ１の領域を指定できる。
【００２９】
また、エリアＡ２は、テキスト画像が印刷されるエリアであって、テキスト画像からなるデフォルト画像が印刷される領域である。そして、図５（Ａ）に示すように、エリアＡ２に対応する領域には、デフォルト画像に対応する画像Ｇ２が表示される。ユーザーは、画像Ｇ２を視認することにより、画像Ｇ２に対応するエリア（エリアＡ２）の領域と、当該エリアにはテキスト画像からなるデフォルト画像が印刷されることを迅速に把握できる。画像Ｇ２にマウスポインターを合わせると、画像Ｇ２に対応するエリアＡ２の領域（推定した領域）が点線にて表示され（図６も併せて参照）、その状態でマウスをクリックすると、エリアＡ２の領域を指定できる。
また、エリアＡ３は、テキスト画像が印刷されるエリアであって、デフォルト画像が印刷されない領域である。そして、図５に示すように、エリアＡ３に対応する領域には、当該領域にテキスト画像としての文字列が記録されることが直感的に把握できる画像Ｇ３が表示される。本例では、画像Ｇ３は、１行分の文字列を表現する左右方向に延びた太線が間隔を空けて複数行設けられた構成となっている。当該太線の太さ、長さ、間隔等は、テンプレートＴ１のエリアＡ３に係る画像詳細情報Ｊ８に基づいてウェブアプリケーション実行部１５ａにより適切に定められる。ユーザーは、画像Ｇ３を視認することにより、画像Ｇ３に対応するエリア（エリアＡ３）の領域と、当該エリアにはテキスト画像が印刷されることを迅速に把握できる。画像Ｇ３にマウスポインターを合わせると、画像Ｇ３に対応するエリアＡ２の領域（推定した領域）が点線にて表示され、その状態でマウスをクリックすると、エリアＡ３の領域を指定できる。
エリアＡ４の態様は、エリアＡ３の態様と同様であるため、その説明を省略する。
【００３０】
ここで、本実施形態では、各エリアに対して、付加情報を付加可能である。
付加情報とは、具体的には、エリアの背景色、及び、エリアにテキスト画像が印刷される場合は、文字の文字色のことである。
このように各エリアに対して、色に関する付加情報を付加可能な構成とすることにより、テンプレートに準じて記録される画像について、所望のエリア、所望の画像に彩色を施すことが可能となり、プリンター１０がカラー印刷が可能であることを活かしたダイナミンクな印字結果を得ることができる。
本実施形態では、ユーザーは、各エリアについて、背景色や、文字色を的確に設定できる（付加情報を付加できる）構成となっている。
以下、テキスト画像が印刷されるエリアに付加情報を付加する場合と、グラフィック画像が印刷されるエリアに付加情報を付加する場合とについて、具体的に説明する。
【００３１】
上述したように、エリアＡ２は、テキスト画像が記録されるエリアである。そして、ユーザーインターフェースＵＩ２の印刷レイアウトＬＯにおいて、ユーザーによって画像Ｇ２がクリックされることにより、エリアＡ２の領域が指定されると、ブラウザー実行部２３ａは、その旨を示すデータをウェブアプリケーション実行部１５ａに出力する。これに応じて、ウェブアプリケーション実行部１５ａは、ユーザーインターフェースＵＩ３を表示するための表示ファイルを生成し、ブラウザー実行部２３ａに出力する。ブラウザー実行部２３ａは、入力された表示ファイルに基づいて、ユーザーインターフェースＵＩ３を表示する。
図６は、ユーザーインターフェースＵＩ３を示す図である。
図６に示すように、左半分に表示された印刷レイアウトＬＯでは、指定されたエリア（本例では、エリアＡ２）について、推定した領域が点線で表わされる。
そして、右半分の領域では、エリアＡ２について、文字色と、背景色と、のそれぞれを設定するユーザーインターフェースが表示される。詳細には、文字色を設定するための文字色設定部３０では、左端部の赤色から、右端部の青色にかけて色のグラデーションが形成されたボックスが表示され、所望の色に対応する位置にポインターを合わせることにより、所望の色に文字色を設定可能な構成となっている。背景色設定部３１についても同様の構成を有し、背景色について所望の色を設定可能な構成となっている。
ユーザーが、文字色設定部３０、及び、背景色設定部３１により、文字色、及び、背景色を設定した後、ＯＫボタン３２を選択すると、設定が確定する。これに応じて、ブラウザー実行部２３ａは、設定の内容と共に、その旨を示すデータを、ウェブアプリケーション実行部１５ａに出力する。ウェブアプリケーション実行部１５ａは、文字色及び背景色の設定（付加情報の付加）が反映した態様でユーザーインターフェースＵＩ２を表示するための表示ファイルを生成し、ブラウザー実行部２３ａ出力する。ブラウザー実行部２３ａは、入力された表示ファイルに基づいて、ユーザーインターフェースＵＩ２を表示する。
【００３２】
図５（Ｂ）は、エリアＡ２に係る文字色及び背景色の設定（エリアＡ２に対する付加情報の付加）がユーザーインターフェースＵＩ２を示す図である。
図５（Ｂ）に示すように、ユーザーインターフェースＵＩ２では、右半分に表示された印刷レイアウトＬＯにおけるエリアＡ２について、その領域が設定された背景色で表示されると共に、デフォルト画像としてのテキスト画像を構成する文字列が設定された文字色で表示される。
このように、本実施形態では、ユーザーインターフェースＵＩ３（図６）において、印刷レイアウトＬＯと共に、文字色、及び、背景色を設定するためのユーザーインターフェース（付加可能な付加情報）が表示される。そして、文字色、及び、背景色が設定された場合、ユーザーインターフェースＵＩ２において、設定された文字色、及び、背景色を反映した態様で、印刷レイアウトＬＯが表示される。
このような構成のため、ユーザーは、自身が設定した文字色、及び、背景色の効果について、迅速かつ的確に把握でき、設定が適切でない場合は再設定する等の適切な処理を行なうことが可能である。すなわち、ユーザーは、エリアに対して的確に付加情報を付加できる。
なお、エリアＡ３や、エリアＡ４のように、印刷レイアウトＬＯにおいて、太線によってテキスト画像が表わされるエリアについて、文字色が設定された場合、設定された文字色によって太線が表示される。
【００３３】
次に、グラフィック画像が印刷されるエリアに付加情報を付加する場合について説明する。
上述したように、エリアＡ１は、グラフィック画像が記録されるエリアである。そして、エリアＡ２に対する設定後のユーザーインターフェースＵＩ２（図５（Ｂ））の印刷レイアウトＬＯにおいて、画像Ｇ１がクリックされることにより、エリアＡ１の領域が指定されると、ブラウザー実行部２３ａは、その旨を示すデータをウェブアプリケーション実行部１５ａに出力する。これに応じて、ウェブアプリケーション実行部１５ａは、ユーザーインターフェースＵＩ４（図７（Ａ））を表示するための表示ファイルを生成し、ブラウザー実行部２３ａに出力する。ブラウザー実行部２３ａは、入力された表示ファイルに基づいて、ユーザーインターフェースＵＩ４を表示する。
図７（Ａ）は、ユーザーインターフェースＵＩ４を示す図である。
図７（Ａ）に示すように、左半分に表示された印刷レイアウトＬＯでは、指定されたエリア（本例では、エリアＡ１）について、その領域（推定した領域）が点線で表わされる。
そして、右半分の領域では、エリアＡ１について、背景色の色を設定するユーザーインターフェースが表示される。詳細には、設定可能な背景色について、色ごとに、色が付された四角形のアイコンが、クリックによる選択可能な態様で表示されている。アイコンのいずれかがクリックによって選択されると、エリアＡ１の領域に、選択されたアイコンに係る色が付された領域が形成される。以下、グラフィック画像が印刷される領域において、背景色が付される領域のことを「背景色領域」という。
さて、ユーザーによって、いずれかの色に係るアイコンが選択された状態で、アライメント移行ボタン３４が選択されると、ブラウザー実行部２３ａは、その旨のデータをウェブアプリケーション実行部１５ａに出力する。ウェブアプリケーション実行部１５ａは、ユーザーインターフェースＵＩ５（図８）を表示するための表示ファイルを生成し、ブラウザー実行部２３ａに出力する。ブラウザー実行部２３ａは、入力された表示ファイルに基づいて、ユーザーインターフェースＵＩ５を表示する。
【００３４】
図８は、ユーザーインターフェースＵＩ５を示す図である。
このユーザーインターフェースＵＩ５は、エリアにおける背景色領域の形状を詳細に設定するためのユーザーインターフェースである。なお、背景色領域は、矩形である。
図８に示すように、ユーザーインターフェースＵＩ５の右方には、リサイズ設定画面３５が形成されている。リサイズ設定画面３５では、背景色領域の設定の態様を選択するためのラジオボタンＲ１〜Ｒ４が設けられている。
ラジオボタンＲ１が選択された場合は、背景色領域は、デフォルトで設定された領域とされる。
また、ラジオボタンＲ２が選択された場合は、背景色領域の上辺、下辺が、エリア（本例ではエリアＡ１）の上辺、下辺と一致した状態が維持された上で、背景色領域の左辺、右辺を変移させることによって、背景色領域の形状を設定可能となる。左辺、右辺の変移は、リサイズ設定画面３５の左方に表示されたアライメント画面３６により可能である。
また、ラジオボタンＲ３が選択された場合は、背景色領域は、推定したエリアの領域と一致した状態とされる。
また、ラジオボタンＲ４が選択された場合は、背景色領域の左辺、右辺が、エリア（本例ではエリアＡ１）の左辺、右辺と一致した状態が維持された上で、背景色領域の上辺、下辺を変移させることによって、背景色領域の形状を設定可能となる。上辺、下辺の変移は、アライメント画面３６により可能となる。
【００３５】
ユーザーインターフェースＵＩ５を介して、背景色領域の形状が設定され、ユーザーにより、ＯＫボタン３７が選択されると、ブラウザー実行部２３ａは、設定の内容と共にその旨を示すデータを、ウェブアプリケーション実行部１５ａに出力する。これに応じて、ウェブアプリケーション実行部１５ａは、背景色領域に係る設定が反映した態様のユーザーインターフェースＵＩ４（図７（Ｂ））を表示させるための表示ファイルを生成し、ブラウザー実行部２３ａに出力する。ウェブアプリケーション実行部１５ａは、表示ファイルに基づいて、ユーザーインターフェースＵＩ４を表示する。
図７（Ｂ）は、背景色領域に関する設定後に表示されるユーザーインターフェースＵＩ４を示す図である。図７（Ａ）と、図７（Ｂ）との比較によって明らかなとおり、印刷レイアウトＬＯにおいて、エリアＡ１における背景色領域について、その形状が、ユーザーによる設定が反映した状態となる。
このように、本実施形態では、ユーザーは、ユーザーインターフェースＵＩ４、ＵＩ５を利用して、グラフィック画像を印刷するエリアについて、どのような色で、どのような形状の背景色領域を形成するかを設定可能である。そして、ユーザーは、設定を行なった場合、背景色領域の色、形状を迅速、かつ、的確に確認可能である。
【００３６】
さて、背景色領域の形状に関する設定が完了した後のユーザーインターフェースＵＩ４（図７（Ｂ））において、ＯＫボタン４０が操作されると、背景色領域に関する設定が完了し、ブラウザー実行部２３ａとウェブアプリケーション実行部１５ａとの協働により、ユーザーインターフェースＵＩ２（図５（Ｃ））が表示される。
図５（Ｃ）は、本例において、エリアＡ１と、エリアＡ２に関する設定が完了した後に、表示されるユーザーインターフェースＵＩ２を示す図である。図５（Ａ）と、図５（Ｃ）との比較によって明らかなとおり、エリアＡ１には、四角形の枠からなる画像Ｇ１に代えて、設定された背景色領域に設定された色が付された画像が表示される。なお、画像Ｇ１と共に背景色領域に係る画像を表示する構成であってもよい。また、エリアＡ２には、設定された文字色にてデフォルト画像としてのテキスト画像が表示されると共に、その背景が設定された色とされる。
図５（Ｃ）に示すユーザーインターフェースＵＩ２を参照することにより、ユーザーは、各エリアに施した設定（付加情報の付加）の効果を迅速かつ的確に把握できる。
図５（Ｃ）のユーザーインターフェースＵＩ２において、ＯＫボタン４１が選択されると、ユーザーによって行なわれた各エリアへの設定（各エリアへの付加情報の付加）が確定する。ＯＫボタン４１が選択されると、ブラウザー実行部２３ａは、各エリアに係る設定の内容と共に、その旨を示すデータをウェブアプリケーション実行部１５ａに出力する。
【００３７】
ウェブアプリケーション実行部１５ａは、入力されたデータに基づいて、第２テンプレートを生成し、第２テンプレートデータベース１６ｂに格納する。
図９は、第１テンプレートたるテンプレートＴ１（図４（Ａ））に基づいて生成された、第２テンプレートたるテンプレートＴ１’を示す図である。図９のテンプレートＴ１’は、テンプレートＴ１に基づいて、図５〜図８を用いて説明した編集が行なわれた後に生成された第２テンプレートを示している。
図４（Ａ）と、図９との比較によって明らかなとおり、第２テンプレートには、各エリアについて、第１テンプレートと同様の情報に加えて、設定付加情報Ｊ１０が含まれている。
設定付加情報Ｊ１０は、テキスト画像が印刷されるエリアについては、設定された背景色、及び、文字色を示す情報である。また、グラフィック画像が印刷されるエリアについては、設定された背景色領域の領域を示す情報（例えば、上述した座標系における背景色領域の四隅の座標）、及び、設定された背景色領域に付すべき色を示す情報のことである。
図４（Ａ）と、図９との比較で明らかなとおり、第１テンプレートと、第２テンプレートとにおいて、テンプレート名称Ｊ２、及び、エリア名称Ｊ５については、同一の名称とされる。ここで、交換前プリンターに、特定のテンプレートに準じてラベルへの印刷を行なわせる際は、当該特定のテンプレートのテンプレート名称Ｊ２を指定する情報、及び、各エリアと、各エリアに印刷させる画像を指定する情報を含む制御コマンドを交換前プリンターに出力することによって、印刷を行なわせていた。そして、本実施形態に係るプリンター１０は、ある特定のテンプレート名称Ｊ２が指定された制御コマンドが入力された場合、当該テンプレート名称Ｊ２に係る第２テンプレートが存在するとき、換言すれば、当該テンプレート名称Ｊ２に係る第２テンプレートが第２テンプレートデータベース１６ｂに格納されているときは、第２テンプレートに準じて印刷を行なう。一方、指定されたテンプレート名称Ｊ２に係る第２テンプレートが存在しない場合は、第１テンプレートデータベース１６ａにアクセスし、当該テンプレート名称Ｊ２に係る第１テンプレートに準じて印刷を行なう。
そして、上述したとおり、本実施形態では、第１テンプレートのテンプレート名称Ｊ２、及び、エリア名称Ｊ５と、対応する第２テンプレートのテンプレート名称Ｊ２、及び、エリア名称Ｊ５とが同一の名称とされる。これにより、交換前プリンターに出力していた制御コマンドを、その内容を改変することなくプリンター１０に出力することにより、第２テンプレートに準じて、特定のエリアや、エリアの画像に彩色が施されたダイナミックな画像をプリンター１０に印刷させることができる。このため、ユーザーは、交換前プリンターから、プリンター１０への交換に際し、交換前プリンターに対するソフトウェア的な改変を行なう必要が無く、交換に係るユーザーの利便性が高い。
【００３８】
なお、ウェブアプリケーション実行部１５ａは、第１テンプレートに基づいて、第２テンプレートが生成され、第２テンプレートデータベース１６ｂに格納された場合、テンプレート基本情報データ１６ｃの内容を適切に書き換える。これにより、ユーザーインターフェースＵＩ１の表示に際し、その内容が適切な状態となる。すなわち、第２テンプレートについては、最終編集日時Ｊ４が表示され、かつ、削除指示ボタンＢ２の態様が第１テンプレートと異なった態様で表示される。
なお、図３に示すように、編集開始指示ボタンＢ１も第１テンプレートと、第２テンプレートとで異なった態様で表示される構成となっており、第２テンプレートについては適切な態様で表示される。
ユーザーは、ユーザーインターフェースＵＩ１において、第２テンプレートの編集開始指示ボタンＢ１を選択することにより、第２テンプレートについて、さらなる編集（エリアへの付加情報の付加）を実行することが可能である。
【００３９】
以上説明したように、本実施形態によれば、プリンター１０のウェブアプリケーション実行部１５ａ（制御部）は、第１テンプレートに基づいて、印刷領域に形成されたエリアに付加情報を付加可能な態様で、印刷レイアウトＬＯを制御装置１１に表示させると共に、１のエリアに、１の付加情報の付加が指定された場合、当該１のエリアについて当該１の付加情報を反映した態様に変更して、印刷レイアウトＬＯを表示させる。
この構成によれば、ある１のエリアに対して、ある１の付加情報を付加した場合、当該１のエリアが当該１の付加情報を反映した態様に変更された上で、印刷レイアウトＬＯが表示される。このため、付加情報を付加した場合の効果を確認しつつ、付加情報の付加を指定できることとなり、的確な付加情報の付加が可能となる。
【００４０】
また、本実施形態では、第１テンプレートには、各エリアについて、印刷領域における基点の位置を示す情報が含まれている。そして、プリンター１０のウェブアプリケーション実行部１５ａは、第１テンプレートに含まれる情報に基づいて、印刷領域における各記エリアの領域を推定し、各エリアについて、その領域を指定可能かつ付加情報を付加可能な態様で、印刷レイアウトＬＯを制御装置１１に表示させる。
この構成によれば、第１テンプレートが、印刷領域におけるエリアの領域を明確に示す情報を保持しておらず、各エリアの基点の位置を示す情報を保持している場合であっても、各エリアに的確に付加情報を付加できる態様で、第１テンプレートに基づく印刷レイアウトＬＯを表示可能である。
【００４１】
また、本実施形態では、ウェブアプリケーション実行部１５ａは、エリアへの付加情報の付加に伴う変更後の印刷レイアウトＬＯに対応するテンプレートを、第２テンプレートとして記憶する。
この構成によれば、記憶した第２テンプレートに基づいて、エリアに付加された付加情報を反映した印刷の実行が可能となる。
【００４２】
また、本実施形態では、ウェブアプリケーション実行部１５ａは、制御装置１１と通信して、制御装置１１の表示部２４に第１テンプレートに基づく印刷レイアウトＬＯを表示させる。
より詳細には、プリンター１０は、クライアントたる制御装置１１からの要求に応じて印刷レイアウトＬＯに係る表示データを出力するウェブサーバーとしての機能を有する。そして、ウェブアプリケーション実行部１５ａは、制御装置１１からウェブブラウザーの機能によるアクセスがあった場合、印刷レイアウトに係る表示データを出力して、制御装置１１の表示部２４に印刷レイアウトＬＯを表示させる。
この構成によれば、ユーザーは、制御装置１１により、エリアに付加情報を付加することが可能となる。特に、テンプレートＴ１の編集（テンプレートＴ１’の生成）に際し、制御装置１１は、ウェブブラウザーの機能を有していればよく、制御装置１１に特別なソフトウェア等をインストールが必要が無く、利便性が高い。
【００４３】
また、本実施形態では、付加情報は、エリアの色に関する情報、又は、エリアに印刷される画像の色に関する情報である。
この構成によれば、エリアごとに、エリアや、エリアに印刷される画像に彩色を施すことが可能となり、第１テンプレートの編集を通して、ダイナミックな印字結果を得ることが可能となる。
【００４４】
なお、上述した実施の形態は、あくまでも本発明の一態様を示すものであり、本発明の範囲内で任意に変形および応用が可能である。
例えば、上述した実施形態では、制御装置１１と、プリンター１０とは、ネットワークＮを介して接続された構成であったが、例えば、ＵＳＢに係る規格や、所定のシリアル通信、パラレル通信に係る規格に準拠して、これら装置が直接通信する構成であってもよい。
また、上述した実施形態では、制御装置１１は、ウェブブラウザーの機能を利用して、プリンター１０にアクセスし、プリンター１０から入力される表示データに基づいて、印刷レイアウトＬＯを含む各種ユーザーインターフェースを表示していたが、例えば、制御装置１１に専用のソフトウェア的なツールをインストールし、当該ツールの機能により、適宜、プリンター１０と通信し、プリンター１０と協働して各種ユーザーインターフェースを表示する構成であってもよい。さらに、プリンター１１に、キーボード等の入力デバイスを接続し、液晶表示パネル等の表示パネルを接続可能に構成すると共に、ユーザーが、これら機器を利用して、上述した各種処理を実行できる構成であってもよい。
また、上述した実施形態では、第１テンプレートデータベース１６ａ、及び、第２テンプレートデータベース１６ｂは、プリンター１０に記憶されていたが、制御装置１１や、これに対応する装置が記憶する構成であってもよい。
また、上述した実施形態では、付加情報は、色に関する情報であったが、付加情報は、これに限らない。例えば、エリアを枠付きの画像にし、エリアに印刷するテキスト画像を太字化し、斜め字化し、アンダーラインを付与する等の情報であってもよい。すなわち、付加情報は、エリアに関して付加可能な情報の全てを含む概念である。
また、印刷レイアウトＬＯの態様は、図を用いて例を挙げて説明したものに限らないことは、言うまでもない。例えば、各ユーザーインターフェースにおける印刷レイアウトＬＯにおいて、各エリアについて、推定した領域を明示する構成であってもよい。
また、図２に示す各機能ブロックはハードウェアとソフトウェアの協働により任意に実現可能であり、特定のハードウェア構成を示唆するものではない。また、プリンター１０や、制御装置１１の各機能ブロックの機能を、これら装置に外部接続される別の装置に持たせるようにしてもよい。また、プリンター１０や、制御装置１１は、外部接続される記憶媒体に記憶させたプログラムを実行することにより、各種動作を実行してもよい。
【符号の説明】
【００４５】
１…制御システム、１０…プリンター（印刷装置）、１１…制御装置、１５…プリンター制御部（制御部）、１５ａ…ウェブアプリケーション実行部（制御部）、２３…制御装置制御部、２３ａ…ブラウザー実行部、２４…表示部。
【図１】
2014168849.tif 000003
【図２】
2014168849.tif 000004
【図３】
2014168849.tif 000005
【図４】
2014168849.tif 000006
【図５】
2014168849.tif 000007
【図６】
2014168849.tif 000008
【図７】
2014168849.tif 000009
【図８】
2014168849.tif 000010
【図９】
2014168849.tif 000011